【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
被監視者の通信装置の位置に関する情報を通知する位置情報通知システムであって、
前記被監視者の通信装置は、位置情報通知サーバからダウンロードした経路データを記憶するメモリと、現在位置を測位する位置検出部と、被監視者の通信装置が前記メモリに記憶された経路から逸脱したことを検出する検出手段と、通信装置が経路から逸脱したことが検出された場合に、当該通信装置がその旨を所定の監視者へ通知する通知手段と、を備え、
前記検出手段が前記メモリに記憶された経路から逸脱したことを検出した際には、前記通知手段が前記所定の監視者に経路から逸脱したことを通知するように構成したことを特徴とする位置情報通知システム。
【請求項２】
前記通知手段は、前記所定の監視者への通知に、前記通信装置が経路から逸脱した位置の情報を付加して通知することを特徴とする請求項１に記載の位置情報通知システム。
【請求項３】
前記被監視者の通信装置が前記所定の監視者に送信する通知は、予め監視者が設定した通信装置または加入者電話に送信することを特徴とする請求項１に記載の位置情報通知システム。
【請求項４】
被監視者の通信装置の位置に関する情報を通知する通信装置であって、
前記被監視者の通信装置は、位置情報通知サーバからダウンロードした経路データを記憶するメモリと、現在位置を測位する位置検出部と、被監視者の通信装置が前記メモリに記憶された経路から逸脱したことを検出する検出手段と、通信装置が経路から逸脱したことが検出された場合に、当該通信装置がその旨を所定の監視者へ通知する通知手段と、を備え、
前記検出手段が前記メモリに記憶された経路から逸脱したことを検出した際には、前記通知手段が前記所定の監視者に経路から逸脱したことを通知するように構成したことを特徴とする通信装置。
【請求項５】
前記通知手段は、前記所定の監視者への通知に、前記通信装置が経路から逸脱した位置の情報を付加して通知することを特徴とする請求項４に記載の通信装置。
【請求項６】
前記被監視者の通信装置が前記所定の監視者に送信する通知は、予め監視者が設定した通信装置または加入者電話に送信することを特徴とする請求項４に記載の通信装置。
【請求項７】
被監視者の通信装置の位置に関する情報を通知する位置情報通知方法であって、
前記被監視者の通信装置は、位置情報通知サーバからダウンロードした経路データを記憶するメモリと、現在位置を測位する位置検出部と、被監視者の通信装置が前記メモリに記憶された経路から逸脱したことを検出する検出手段と、通信装置が経路から逸脱したことが検出された場合に、当該通信装置がその旨を所定の監視者へ通知する通知手段と、を備え、
被監視者の通信装置が予め設定された経路から逸脱したことを検出する検出ステップと、
通信装置が経路から逸脱したことを検出された場合に当該通信装置がその旨を所定の監視者へ通知する通知ステップと、を有することを特徴とする位置情報通知方法。
【請求項８】
前記通知ステップは、前記所定の監視者への通知に、前記通信装置が経路から逸脱した位置の情報を付加して通知する処理を含むことを特徴とする請求項７に記載の位置情報通知方法。
【請求項９】
前記被監視者の通信装置が前記所定の監視者に送信する通知は、予め監視者が設定した通信装置または加入者電話に送信することを特徴とする請求項７に記載の位置情報通知方法。
【手続補正２】
【補正対象書類名】明細書
【補正対象項目名】発明の名称
【補正方法】変更
【補正の内容】
【発明の名称】位置情報通知システム、通信装置及び位置情報通知方法
【手続補正３】
【補正対象書類名】明細書
【補正対象項目名】０００１
【補正方法】変更
【補正の内容】
【０００１】
本発明は、通信装置を用いた位置情報通知システム、通信装置及び位置情報通知方法に関するものであり、特に、ＧＰＳ測位手段を有する通信装置に、予め通常移動する予定の経路データを記憶しておき、通信装置が測位した位置が予定の経路（経路データ）から、所定の距離逸脱した場合、所定の通知先に自動的に通知するようにした位置情報通知システム、通信装置及び位置情報通知方法に関するものである。
【手続補正４】
【補正対象書類名】明細書
【補正対象項目名】００１３
【補正方法】変更
【補正の内容】
【００１３】
前記課題を解決するために、本願の請求項１にかかる発明は、被監視者の通信装置の位置に関する情報を通知する位置情報通知システムであって、前記被監視者の通信装置は、位置情報通知サーバからダウンロードした経路データを記憶するメモリと、現在位置を測位する位置検出部と、被監視者の通信装置が前記メモリに記憶された経路から逸脱したことを検出する検出手段と、通信装置が経路から逸脱したことが検出された場合に、当該通信装置がその旨を所定の監視者へ通知する通知手段と、を備え、前記検出手段が前記メモリに記憶された経路から逸脱したことを検出した際には、前記通知手段が前記所定の監視者に経路から逸脱したことを通知するように構成したことを特徴とする。
【手続補正５】
【補正対象書類名】明細書
【補正対象項目名】００１４
【補正方法】変更
【補正の内容】
【００１４】
本願の請求項２にかかる発明は、請求項１にかかる位置情報通知システムにおいて、前記通知手段は、前記所定の監視者への通知に、前記通信装置が経路から逸脱した位置の情報を付加して通知することを特徴とする。
【手続補正６】
【補正対象書類名】明細書
【補正対象項目名】００１５
【補正方法】変更
【補正の内容】
【００１５】
本願の請求項２にかかる発明は、請求項１にかかる位置情報通知システムにおいて、前記被監視者の通信装置が前記所定の監視者に送信する通知は、予め監視者が設定した通信装置または加入者電話に送信することを特徴とする。
【手続補正７】
【補正対象書類名】明細書
【補正対象項目名】００１６
【補正方法】変更
【補正の内容】
【００１６】
また、本願の請求項４にかかる発明は、被監視者の通信装置の位置に関する情報を通知する通信装置であって、前記被監視者の通信装置は、位置情報通知サーバからダウンロードした経路データを記憶するメモリと、現在位置を測位する位置検出部と、被監視者の通信装置が前記メモリに記憶された経路から逸脱したことを検出する検出手段と、通信装置が経路から逸脱したことが検出された場合に、当該通信装置がその旨を所定の監視者へ通知する通知手段と、を備え、前記検出手段が前記メモリに記憶された経路から逸脱したことを検出した際には、前記通知手段が前記所定の監視者に経路から逸脱したことを通知するように構成したことを特徴とする。
【手続補正８】
【補正対象書類名】明細書
【補正対象項目名】００１７
【補正方法】変更
【補正の内容】
【００１７】
本願の請求項５にかかる発明は、請求項４にかかる通信装置において、前記通知手段は、前記所定の監視者への通知に、前記携帯機器が経路から逸脱した位置の情報を付加して通知することを特徴とする。
【手続補正９】
【補正対象書類名】明細書
【補正対象項目名】００１８
【補正方法】変更
【補正の内容】
【００１８】
本願の請求項６にかかる発明は、請求項４にかかる通信装置において、前記被監視者の通信装置が前記所定の監視者に送信する通知は、予め監視者が設定した通信装置または加入者電話に送信することを特徴とする請求項４に記載の通信装置。
【手続補正１０】
【補正対象書類名】明細書
【補正対象項目名】００１９
【補正方法】変更
【補正の内容】
【００１９】
また、本願の請求項４にかかる発明は、被監視者の通信装置の位置に関する情報を通知する位置情報通知方法であって、前記被監視者の通信装置は、位置情報通知サーバからダウンロードした経路データを記憶するメモリと、現在位置を測位する位置検出部と、被監視者の通信装置が前記メモリに記憶された経路から逸脱したことを検出する検出手段と、通信装置が経路から逸脱したことが検出された場合に、当該通信装置がその旨を所定の監視者へ通知する通知手段と、を備え、  被監視者の通信装置が予め設定された経路から逸脱したことを検出する検出ステップと、通信装置が経路から逸脱したことを検出された場合に当該通信装置がその旨を所定の監視者へ通知する通知ステップと、を有することを特徴とする。
【手続補正１１】
【補正対象書類名】明細書
【補正対象項目名】００２０
【補正方法】変更
【補正の内容】
【００２０】
本願の請求項８にかかる発明は、請求項７にかかる位置情報通知方法において、前記通知ステップは、前記所定の監視者への通知に、前記通信装置が経路から逸脱した位置の情報を付加して通知する処理を含むことを特徴とする。
【手続補正１２】
【補正対象書類名】明細書
【補正対象項目名】００２１
【補正方法】変更
【補正の内容】
【００２１】
本願の請求項９にかかる発明は、請求項７にかかる位置情報通知方法において、前記被監視者の通信装置が前記所定の監視者に送信する通知は、予め監視者が設定した通信装置または加入者電話に送信することを特徴とする請求項７に記載の位置情報通知方法。
【手続補正１３】
【補正対象書類名】明細書
【補正対象項目名】００２２
【補正方法】変更
【補正の内容】
【００２２】
本発明は上記構成を備えることにより、以下に示す効果を奏する。すなわち、請求項１〜請求項３にかかる発明においては、前記被監視者の通信装置は、位置情報通知サーバからダウンロードした経路データを記憶するメモリと、現在位置を測位する位置検出部と、被監視者の通信装置が前記メモリに記憶された経路から逸脱したことを検出する検出手段（例えば、制御部）と、通信装置が経路から逸脱したことが検出された場合に、当該通信装置がその旨を所定の監視者へ通知する通知手段（例えば、制御部）と、を備え、前記検出手段が前記メモリに記憶された経路から逸脱したことを検出した際には、前記通知手段が前記所定の監視者に経路から逸脱したことを通知する。
【手続補正１４】
【補正対象書類名】明細書
【補正対象項目名】００２３
【補正方法】変更
【補正の内容】
【００２３】
被監視者の通信装置が予め設定された経路から逸脱した場合に、自動的に所定の監視者へその旨を通知するようにしたので、監視者側から頻繁に位置確認を行って経路から逸脱したか否かを監視することなく、事故や事件に巻き込まれる事態になる前に不審な状況を知ることができるようになる。また、被監視者の通信装置が予め設定された経路から逸脱した際に、逸脱した大まかな位置を監視者側が容易に把握することができるようになる。
【手続補正１５】
【補正対象書類名】明細書
【補正対象項目名】００２４
【補正方法】変更
【補正の内容】
【００２４】
また、請求項４〜請求項６にかかる発明においては、それぞれ請求項１〜請求項３にかかる位置情報通知システムを構成する通信装置を提供することができるようになり、請求項７〜請求項９にかかる発明においては、それぞれ請求項１〜請求項３にかかる位置情報通知システムにおける位置情報通知方法、あるいは、それぞれ請求項４〜請求項６にかかる通信装置における位置情報通知方法を提供することができるようになる。